(57)【要約】【課題】光学式タッチパネルを備える装置であって、ユーザの利便性を低下させることなく省電力を実現することができる情報処理装置を提供する。【解決手段】操作部２００に設けられ、発光素子３０２，３０３と受光素子３０４，３０５とを有する光学式タッチパネルを有する画像処理装置１００を設ける。画像処理装置１００が備えるＣＰＵは、は、省電力状態に移行する場合に、光学式タッチパネルにおける特定の箇所の発光素子にのみ電源供給を行い、他の発光素子に対する電源供給を停止する制御を行う。【選択図】図３
2016162309.tif 000002
【特許請求の範囲】
【請求項１】
操作部に設けられ、発光素子と受光素子とを有する光学式タッチパネルと、
装置が省電力状態に移行する場合に、前記光学式タッチパネルにおける特定の箇所の発光素子にのみ電源供給を行う制御手段とを備える
ことを特徴とする情報処理装置。
【請求項２】
前記制御手段は、前記情報処理装置が省電力状態の際に、前記受光素子が前記発光素子からの光を受光しているかを判断し、前記受光素子が前記発光素子からの光を受光していない場合には、前記情報処理装置を前記省電力状態から通常状態へ移行させる
ことを特徴とする請求項１に記載の情報処理装置。
【請求項３】
前記発光素子と前記受光素子は、互いに対向するように前記光学式タッチパネルの外枠に複数個配置されている
ことを特徴とする請求項１または請求項２に記載の情報処理装置。
【請求項４】
前記制御手段は、電源供給を行う発光素子の数を減らすことによって、前記特定の箇所の発光素子にのみ電源供給を行う
ことを特徴とする請求項１乃至３のいずれか１項に記載の情報処理装置。
【請求項５】
前記制御手段は、前記受光素子のうち、前記操作部に設けられたキーに対応する受光素子にのみ電源供給を行う
ことを特徴とする請求項１乃至４のいずれか１項に記載の情報処理装置。
【請求項６】
前記制御手段は、電源供給を行う発光素子を均等に間引くことによって、前記特定の箇所の発光素子にのみ電源供給を行う
ことを特徴とする請求項１乃至５のいずれか１項に記載の情報処理装置。
【請求項７】
前記制御手段は、前記電源を供給する前記特定の箇所を変更する
ことを特徴とする請求項１乃至６のいずれか１項に記載の情報処理装置。
【請求項８】
前記制御手段は、前記情報処理装置が省電力状態の際に、前記特定の箇所の発光素子が前記発光素子からの光を受光している場合に、前記電源を供給する特定の箇所を他の箇所に変更する
ことを特徴とする請求項７に記載の情報処理装置。
【請求項９】
操作部に設けられ、発光素子と受光素子とを有する光学式タッチパネルを備える情報処理装置の制御方法であって、
装置が省電力状態に移行する場合に、前記光学式タッチパネルにおける特定の箇所の発光素子にのみ電源供給を行う制御工程を有する
ことを特徴とする制御方法。
【請求項１０】
請求項９に記載の制御方法をコンピュータに実行させる
ことを特徴とするプログラム。
【発明の詳細な説明】
【技術分野】
【０００１】
本発明は、情報処理装置、その制御方法およびプログラムに関する。
【背景技術】
【０００２】
液晶表示装置の表示画面に重ねて使用される光学式タッチパネルが提案されている。特許文献１は、このような光学式タッチパネルにおいて、表示画面の画質低下を招くことなく座標入力を可能とする技術を開示している。
【０００３】
一般に、複写機や複合機等の情報処理装置の操作部は、液晶装置等の表示画面にタッチ部が重ねて配置され、ユーザからの入力を受け付ける。現在、抵抗膜式や静電容量式のタッチ部を採用した機器が主流であるが、表示部の大画面化に伴い、より高性能で安価な光学式タッチ部の採用が検討され始めている。
【先行技術文献】
【特許文献】
【０００４】
【特許文献１】特開２００４−２９５６４４号公報
【発明の概要】
【発明が解決しようとする課題】
【０００５】
光学式タッチパネルは、赤外線ＬＥＤとフォトトランジスタを組み合わせることによって位置検出を行う。また、情報処理装置は、省エネの観点から省電力状態へ移行する必要がある。省電力状態から通常状態への復帰は、ユーザのタッチ操作によって行われる。したがって、省電力状態に移行した際に、ユーザのタッチ操作を検出するために光学式タッチパネルの赤外線ＬＥＤすべてに電源を供給してしまうと、消費電力が増加してしまう。また、消費電力削減のために赤外線ＬＥＤすべての電源供給を停止してしまうと、ユーザのタッチ操作を認識できず、省電力状態から復帰できない。
【０００６】
本発明は、光学式タッチパネルを備える装置であって、ユーザの利便性を低下させることなく省電力を実現することができる情報処理装置の提供を目的とする。
【課題を解決するための手段】
【０００７】
本発明の一実施形態の情報処理装置は、操作部に設けられ、発光素子と受光素子とを有する光学式タッチパネルと、装置が省電力状態に移行した場合に、前記光学式タッチパネルにおける特定の箇所の発光素子にのみ電源供給を行う制御手段とを備える。
【発明の効果】
【０００８】
本発明の情報処理装置によれば、ユーザの利便性を損なうことなく省電力化を実現することが可能となる。
【図面の簡単な説明】
【０００９】
【図１】本実施形態の情報処理装置のハードウェア構成を示す図である。
【図２】操作部のハードウェア構成例を示す図である。
【図３】操作部の外観を示す図である。
【図４】操作部の制御処理を説明するフローチャートである。
【図５】発光素子への電源供給を説明する図である。
【図６】発光素子への電源供給を説明する図である。
【図７】操作部の制御処理を説明するフローチャートである。
【図８】発光素子への電源供給を説明する図である。
【発明を実施するための形態】
【００１０】
（実施例１）
図１は、本実施形態の情報処理装置のハードウェア構成を示す図である。
図１では、情報処理装置として画像処理装置１００を例にとって説明する。画像処理装置１００は、コントローラボード１０１乃至操作部２００を備える。各処理部が連動し、印刷、スキャン、コピー、ＦＡＸなどの機能が実現される。
【００１１】
コントローラボード１０１は、ＣＰＵ(Central Processing Unit)１０２乃至ＦＡＸ  Ｉ／Ｆ１１３を備える。ＣＰＵ１０２は、画像処理装置１００全体を制御するコントローラであり、各処理部とシステムバス１１４で接続されている。ＲＯＭ(Read Only Memory)１０３は、ブートＲＯＭであり、画像処理装置１００のブートプログラムが格納されている。ＲＡＭ(Random Access Memory)１０４は、ＣＰＵ１０２が動作するためのシステムワークメモリであり、ＣＰＵ１０２の演算データや各種プログラムが記憶される。また、ＲＡＭ１０４は、印刷時等に画像処理部１０６で種々の画像処理を施された画像データを保持する画像メモリとしても利用される。
【００１２】
記憶装置１０５は、サイズの大きなプログラムやデータを保存しておくための不揮発の２次記憶装置である。記憶装置１０５に保存されているサイズの大きなプログラムやデータは、ＲＡＭ１０４に展開されて使用される。
【００１３】
ＣＰＵ１０２は、外部との通信については、各外部Ｉ／Ｆを介して通信可能に構成されている。ＣＰＵ１０２は、プリンタエンジン１１５とは、エンジンＩ／Ｆ１０７を介し、データ通信を行う。ＣＰＵ１０２は、スキャナ１１６とは、スキャナＩ／Ｆ１０８を介し、データ通信を行う。
【００１４】
ネットワークＩ／Ｆ１０９は、ＬＡＮ  Ｉ／Ｆコネクタを介してＬＡＮ(Local Area Network)に接続し、ＰＣ(Personal Computer)とネットワーク通信を行う。ネットワークＩ／Ｆ１０９は、操作部２００とは、システムバス１１４を介してデータ通信を行う。無線ＬＡＮ  Ｉ／Ｆ１１０は、無線ＬＡＮアンテナ１１８を介して無線ＬＡＮ通信を行う。ＵＳＢ−Ｈ  Ｉ／Ｆ１１１は、ＵＳＢコネクタを介して、ＵＳＢメモリ等のデバイスと接続し、ＵＳＢ通信を行う。ＵＳＢ−Ｄ  Ｉ／Ｆ１１２は、ＵＳＢコネクタを介して、ＰＣとローカル接続し、ＵＳＢ通信を行う。ＦＡＸ  Ｉ／Ｆ１１３は、モジュラージャックを介して、公衆回線網に接続され、ＦＡＸ装置とＦＡＸ送受信を行う。
【００１５】
プリンタエンジン１１５は、印刷データの用紙への印刷を行う。スキャナ１１６は、原稿の読み取りを行う。操作部２００は、各種設定操作と、アラーム等の表示を行う。スキャナには、原稿検知を行う原稿検知センサ１１７が接続されている。原稿検知センサ１１７は、圧板部（原稿台スキャナ部）とＡＤＦ(Auto Document Feeder)部にそれぞれ設けられている。圧板部に設けられた原稿検知センサ１１７は、原稿台ガラス上に原稿が置かれた場合に、原稿が置かれた事を検知して、スキャナ１１６へ通知する。ＡＤＦ部に設けられた原稿検知センサ１１７は、フィーダーに原稿が置かれた場合に、原稿が置かれた事を検知してスキャナ１１６へ通知する。
【００１６】
図２は、操作部のハードウェア構成例を示す図である。
操作部２００は、制御基板２０１、表示部２０９、光学式タッチパネル２１０、ハードキー２１１を備える。画像処理部２０３は、表示部２０９において表示する画像データを生成し、表示部Ｉ／Ｆ２０６を介して表示部２０９へ送信する。タッチパネル制御部２０４は、光学式タッチパネル２１０から座標データを取得し、コントローラＩ／Ｆ２０５を介して、コントローラボード１０１との通信を行う。コントローラＩ／Ｆ２０５は、コントローラボード１０１と接続され、システムバス２０８を介して、各部と接続される。光学式タッチパネル２１０は、表示部２０９の上に重ねて配置される。表示部２０９に表示されるアイコンをユーザが選択すると、光学式タッチパネル２１０で入力を受け付ける。
【００１７】
図３は、操作部の外観を示す図である。
赤外ＬＥＤ等の発光素子３０２，３０３と、フォトトランジスタ等の受光素子３０４，３０５とが、互いに対向するように光学式タッチパネルの外枠に複数個配置されている。タッチの検出領域は、表示部２０９と特定のキー３０７乃至３１０の配置された領域である。特定のキーとは、例えば、節電キー、ホームボタン、コピースタート、ストップキーなどである。発光素子３０２から受光素子３０１への赤外線等の不可視光線が指等で遮られた場合に、その座標を制御基板２０１が検出する。表示部２０９は、制御基板２０１から送られる画像データを出力する。
【００１８】
図４は、操作部の制御処理を説明するフローチャートである。
本フローチャートは、図１に示すＲＯＭ１０３、記憶装置１０５、ＲＡＭ１０４のいずれかに記憶されたプログラムに基づき、ＣＰＵ１０２がタッチパネル制御部２０４を制御することによって実行される。
【００１９】
Ｓ４０１において、ＣＰＵ１０２が、画像処理装置１００が省電力状態へ移行できるかを判断する。画像処理装置１００が省電力状態へ移行できない場合は、処理がＳ４０１に戻る。画像処理装置１００が省電力状態へ移行できる場合は、処理がＳ４０２に進む。Ｓ４０２において、ＣＰＵ１０２が、特定の箇所の発光素子にのみ電源を供給し続け、他の発光素子に対する電源供給を停止する。すなわち、ＣＰＵ１０２は、装置が省電力状態に移行する場合に、光学式タッチパネル２１０における特定の箇所の発光素子にのみ電源供給を行う制御手段として機能する。
【００２０】
図５および図６は、実施例１における発光素子への電源供給を説明する図である。画像処理装置１００が省電力状態へ移行する際に、ＣＰＵ１０２は、例えば、図５に示す横方向の赤外光５０１と縦方向の赤外光５０２に対応する特定の箇所の発光素子Ｅにのみ電源を供給する。この例では、ＣＰＵ１０２は、電源供給を行う発光素子の数を減らし、操作部に設けられたキー３０７に対応する受光素子にのみ電源供給を行う。
【００２１】
ＣＰＵ１０２が、図６に示す横方向の赤外光６０１と縦方向の赤外光６０２に対応する発光素子Ｅにのみ電源を供給するようにしてもよい。図６に示す例では、ＣＰＵ１０２は、電源供給を行う発光素子を均等に間引くことによって、特定の箇所の発光素子にのみ電源供給を行う。
【００２２】
図４の説明に戻る。Ｓ４０３において、ＣＰＵ１０２が、Ｓ４０２で電源を供給し続けている発光素子Ｅに対応する受光素子（３０４，３０５）が赤外光を受光しているかを判断する。受光素子が赤外光を受光していないことは、ユーザのタッチ操作があったことを示す。したがって、受光素子が赤外光を受光していない場合は、処理がＳ４０４に進み、ＣＰＵ１０２は、画像処理装置１００を通常状態へ移行させる。すなわち、ＣＰＵ１０２は、画像処理装置１００が省電力状態の際に、受光素子が発光素子からの光を受光しているかを判断し、受光素子が発光素子からの光を受光していない場合には、画像処理装置１００を省電力状態から通常状態へ移行させる。その後、Ｓ４０５において、ＣＰＵ１０２が、全ての発光素子（３０２、３０３）に電源を供給する。上述した画像処理装置１００によれば、省電力状態への移行の際に特定の箇所の受光素子にのみ電力供給を行うとともに、ユーザのタッチ操作により省電力状態から通常状態へ復帰できる。
【００２３】
（実施例２）
図７は、実施例２における操作部の制御処理を説明するフローチャートである。
本フローチャートは、図１に示すＲＯＭ１０３、記憶装置１０５、ＲＡＭ１０４のいずれかに記憶されたプログラムに基づき、ＣＰＵ１０２がタッチパネル制御部２０４を制御することによって実行される。
【００２４】
Ｓ７０１、Ｓ７０６、Ｓ７０７は、それぞれ、図４のＳ４０１、Ｓ４０４、Ｓ４０５と同様であるので、説明を省略する。Ｓ７０２において、ＣＰＵ１０２が、特定の発光素子にのみ電源を供給し続け、他の発光素子に対する電源供給を停止する。
【００２５】
図８は、実施例２における発光素子への電源供給を説明する図である。
画像処理装置１００が省電力状態へ移行する際に、ＣＰＵ１０２は、例えば、図８（Ａ）に示す横方向の赤外光８０１と縦方向の赤外光８０２に対応する発光素子Ｅにのみ電源を供給する。
【００２６】
図７の説明に戻る。Ｓ７０３において、ＣＰＵ１０２が、Ｓ７０２で電源を供給し続けている発光素子Ｅに対応する受光素子（３０４，３０５）が赤外光を受光しているかを判断する。電源を供給し続けている発光素子Ｅに対応する受光素子が赤外光を受光していない場合は、処理がＳ７０６に進む。電源を供給し続けている発光素子Ｅに対応する受光素子が赤外光を受光している場合は、処理がＳ７０４に進む。
【００２７】
Ｓ７０４において、ＣＰＵ１０２が、Ｓ７０２において電源を供給した発光素子とは異なる発光素子にのみ電源を供給し、他の発光素子に対する電源供給を停止する。具体的には、図８（Ｂ）に示すように、ＣＰＵ１０２は、横方向の赤外光９０１と縦方向の赤外光９０２に対応する発光素子Ｅにのみ電源を供給する。つまり、ＣＰＵ１０２は、電源を供給する特定の箇所を変更する。続いて、Ｓ７０５において、Ｓ７０４において電源を供給Ｓ７０４で電源を供給した発光素子Ｅに対応する受光素子が赤外光を受光しているかを判断する。Ｓ７０４において電源を供給Ｓ７０４で電源を供給した発光素子Ｅに対応する受光素子が赤外光を受光している場合は、処理がＳ７０２に戻る。Ｓ７０４において電源を供給Ｓ７０４で電源を供給した発光素子Ｅに対応する受光素子が赤外光を受光していない場合は、処理がＳ７０６に進む。
【００２８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００２９】
１００  画像処理装置
２００  操作部
【図１】
2016162309.tif 000003
【図２】
2016162309.tif 000004
【図３】
2016162309.tif 000005
【図４】
2016162309.tif 000006
【図５】
2016162309.tif 000007
【図６】
2016162309.tif 000008
【図７】
2016162309.tif 000009
【図８】
2016162309.tif 000010